(57)【要約】【課題】金属ペール缶として、落下や衝突等によって蔓形把手の枢着部に内向きの衝撃力が加わっても、缶本体の缶壁に亀裂を生じず、内容物の漏出を確実に回避できるものを提供する。【解決手段】缶本体１の外周面上部の径方向両側に帽子形の把手取付金具４が溶接固着され、蔓形把手３を構成する湾曲した金属線材３１の両端の折返しフック部３１ａ，３１ａが各々把手取付金具４の頂面４ａの差込み穴４１に挿嵌係止された金属ペール缶において、各把手取付金具４の内側空間４０に、缶本体１と折返しフック部３１ａとの間に介在する緩衝材５が装填されている。【選択図】図２
2011148521.tif 000002
【特許請求の範囲】
【請求項１】
缶本体の外周面上部の径方向両側に帽子形の把手取付金具がその開放側の周縁部で溶接固着され、蔓形把手を構成する湾曲した金属線材の両端の折返しフック部が各々把手取付金具の頂面に設けた差込み穴に挿嵌係止された金属ペール缶において、
前記の各把手取付金具の内側空間に、缶本体と前記折返しフック部との間に介在する緩衝材が装填されていることを特徴とする金属ペール缶。
【請求項２】
前記緩衝材が金属又は合成樹脂からなる厚さ０．５〜３ｍｍの板体である請求項１記載の金属ペール缶。
【発明の詳細な説明】
【技術分野】
【０００１】
本発明は、燃料油、潤滑油、塗料、溶剤、インキ、接着剤、食用油等の液状製品の容器として汎用される金属ペール缶に関する。
【背景技術】
【０００２】
一般的に、金属ペール缶は、図１に示すように、略縦円筒形の缶本体１と、その上端開口部に嵌着される円板状の蓋板２と、該缶本体１に取り付けられた蔓形把手３とで構成されている。その缶本体１は、金属板を円筒状に曲げ加工して端部同士をシーム溶接して得られる胴部１１の下端に、円板状の地板（底板）１２が巻締め固着されており、シーム溶接部ｓの上部位置とその径方向対向位置とに、イヤー（耳）と称される帽子形の把手取付金具４がスポット溶接等によって開放側の周縁部４ｂで固着されている。また、蔓形把手３は、全体が略半円状に湾曲した金属線材３１の中間位置に、木製や合成樹脂製の円筒状の握り部３２が嵌装されている。
【０００３】
しかして、図４（ａ）に示すように、把手取付金具４の頂面４ａ中央には差込み穴４１が形成される一方、蔓形把手３の金属線材３１の両端は各々略円弧状に曲成されて折返しフック部３１ａをなしており、該折返しフック部３１ａを把手取付金具４の差込み穴４１に挿嵌係止することにより、蔓形把手３が缶本体１に対して上下回動自在に枢着されている。
【０００４】
なお、缶本体１の胴部１１は、厚さ０．３４〜０．５ｍｍ程度の表面処理鋼板が多用されており、上部には補強のために外側へ膨出する上下２本の環状ビード１１ａ，１１ｂが形成されている。一方、蔓形把手３の金属線材３１には、径３〜５ｍｍ程度の鋼線が汎用されている。また、蓋板２としては、図１では周縁のラグ２１─を介して缶本体１の開口周縁に固着する方式を例示しているが、断面コ字形形の締付バンド（図示省略）を介して缶本体１の開口縁に着脱可能に嵌着する方式も多用されると共に、開閉キャップ付きの注出口を備えるものもある（例えば、特許文献１，２）。
【先行技術文献】
【特許文献】
【０００５】
【特許文献１】特開２００３−２３１５２６号公報
【特許文献２】特開２００８−１００７１５号公報
【発明の概要】
【発明が解決しようとする課題】
【０００６】
しかるに、このような金属ペール缶では、取り扱い中に誤って落下したり他物品と衝突した場合等で、図４（ｂ）に示すように、その衝撃力Ｉが蔓形把手３の一端側の枢着部に内向きに加わった際、把手取付金具４の内側空間４０に入り込んでいる折返しフック部３１ａの先端側が缶本体１の缶壁１０に衝当して食い込み、図４（ｃ）に示すように、該缶壁１０が内側へ畝状に膨れるように変形すると共に往々にして亀裂Ｃを生じ、この亀裂Ｃから内容物が漏出するという問題があった。
【０００７】
本発明は、上述の事情に鑑みて、金属ペール缶として、落下や衝突等によって蔓形把手の枢着部に内向きの衝撃力が加わっても、蔓形把手の折返しフック部の先端側が缶本体の缶壁に食い込んで亀裂を生じることがなく、もって該亀裂に起因した内容物の漏出を確実に回避できるものを提供することを目的としている。
【課題を解決するための手段】
【０００８】
上記目的を達成するための手段を図面の参照符号を付して示せば、請求項１の発明は、缶本体１の外周面上部の径方向両側に帽子形の把手取付金具４がその開放側の周縁部で溶接固着され、蔓形把手３を構成する湾曲した金属線材３１の両端の折返しフック部３１ａ，３１ａが各々把手取付金具４の頂面４ａに設けた差込み穴４１に挿嵌係止された金属ペール缶において、各把手取付金具４の内側空間４０に、缶本体１と折返しフック部３１ａとの間に介在する緩衝材５が装填されていることを特徴としている。
【０００９】
請求項２の発明は、上記請求項１の金属ペール缶において、緩衝材５が金属又は合成樹脂からなる厚さ０．５〜３ｍｍの板体である構成としている。
【発明の効果】
【００１０】
次に、本発明の効果を図面の参照符号を付して説明する。請求項１の発明に係る金属ペール缶によれば、取り扱い中に誤って落下したり他物品と衝突した場合等で、その衝撃力Ｉが蔓形把手３の一端側の枢着部に内向きに加わっても、把手取付金具４内に挿嵌している折返しフック部３１ａと缶本体１の缶壁１０との間に緩衝材５が介在しており、該折返しフック部３１ａに加わる衝撃力Ｉが緩衝材５を介して広面積に分散して缶壁１０に負荷することになるから、該缶壁１０が緩衝材５と共に内側へ広く緩やかに変形しても亀裂を生じる懸念は殆どなく、もって従来のような該亀裂によって内容物が漏出するという問題は解消される。
【００１１】
請求項２の発明によれば、上記の緩衝材５が金属又は合成樹脂からなる特定厚みの板体がらなるため、上記衝撃力Ｉがより効率よく分散して缶壁１０に負荷し、もって該缶壁１０の亀裂発生をより確実に防止できる。
【図面の簡単な説明】
【００１２】
【図１】本発明を適用する金属ペール缶の一例を示す斜視図である。
【図２】本発明の一実施形態に係る金属ペール缶における蔓形把手の取付部分の縦断側面図である。
【図３】同蔓形把手の取付部分に衝撃が加わった際の縦断側面図である。
【図４】従来例の金属ペール缶における蔓形把手の取付部分を示し、（ａ）は衝撃前、（ｂ）は衝撃時、（ｃ）は衝撃後、の各々縦断側面である。
【発明を実施するための形態】
【００１３】
次に、本発明の一実施形態に係る金属ペール缶について、図面を参照して具体的に説明する。この金属ペール缶の基本構成は、既述した従来のものと同様であり、図１で示すように、略縦円筒形の缶本体１と、その上端開口部に嵌着される円板状の蓋板２と、該缶本体１に取り付けられた蔓形把手３とからなる。そして、蔓形把手３は、缶本体１の外周面上部の径方向両側に溶接固着された把手取付金具４，４に、金属線材３１の両端の各折返しフック部３１ａを挿嵌係止することにより、該缶本体１に対して上下回動自在に枢着されている。また、把手取付金具４自体も従来と同様の帽子形であり、図２で示すように、缶本体１に対して開放側の周縁部で溶接固着され、頂面４ａの中央に蔓形把手３の折返しフック部３１ａを挿嵌させる差込み穴４１を有している。
【００１４】
しかるに、本実施形態の金属ペール缶では、図２に示すように、把手取付金具４の内側空間４０に円板状の緩衝材５が装填され、この緩衝材５が内側空間４０に入り込んだ折返しフック部３１ａの先端側と缶本体１の缶壁１０との間に介在している。
【００１５】
上記構成の金属ペール缶では、取り扱い中に誤って落下させたり、他物品に衝突させたり、逆に保管中や定置中に誤って他物品を打ち当てたりして、その衝撃力Ｉが蔓形把手３の一端側の枢着部に内向きに加わった場合、図３で示すように、把手取付金具４内に嵌入している折返しフック部３１ａの先端側は緩衝材５に衝当し、該折返しフック部３１ａに加わる衝撃力Ｉが緩衝材５にて広面積に分散して缶壁１０に負荷する。従って、該衝撃力Ｉが極端に大きくない限りは、缶壁１０が図示の如く緩衝材５と共に内側へ広く緩やかに変形することがあっても、該缶壁１０に亀裂を生じる懸念はない。従って、この金属ペール缶によれば、上記のような衝撃を受けても、従来のように発生した亀裂から内容物が漏出する事態を確実に回避できる。
【００１６】
このような緩衝材５としては、特に制約はないが、金属又は合成樹脂からなる厚さ０．５〜３ｍｍ程度の板体が好適である。すなわち、緩衝材５が不織布や合成樹脂スポンジのような柔軟性に富む材質であったり、硬質でも薄すぎるものでは、簡単に変形するために衝撃力Ｉの分散が不充分になり、缶壁１０が折返しフック部３１ａの衝当部で局所的に変形して亀裂に発展する可能性がある。
【００１７】
また、緩衝材５の大きさは、蔓形把手３の折返しフック部３１ａが直接に缶壁１０に当接するのを阻止する上で、把手取付金具４の内側面積をほぼ満たすが、該把手取付金具４内で移動可能なサイズ（径）であることが望ましい。これは、缶本体１に把手取付金具４を溶接する際、予め該把手取付金具４内に緩衝材５を装填しておくが、溶接終了までは緩衝材５が抜落しないように内奥に位置させる必要がある一方、その溶接後の蔓形把手３の取り付けの際には、該把手取付金具４の差込み穴４１に金属線材３１の折返しフック部３１ａを挿嵌する上で、内奥側（差込み穴４１側）にあった緩衝材５が缶壁１０側へ押し込まれる必要があることによる。
【００１８】
なお、本発明の金属ペール缶は、缶本体１及び蓋板２の細部形状、缶本体１に対する蓋板２の封着構造、蔓形把手３における金属線材３１の折返しフック部３１ａの曲げ形状等、細部構成については実施形態以外に種々設計変更可能である。
【符号の説明】
【００１９】
１        缶本体
１０      缶壁
２        蓋板
３        蔓形把手
３１      金属線材
３１ａ    折返しフック部
４        把手取付金具
４ａ      頂面
４０      内側空間
４１      差込み穴４１
５        緩衝材
【図１】
2011148521.tif 000003
【図２】
2011148521.tif 000004
【図３】
2011148521.tif 000005
【図４】
2011148521.tif 000006